(57)【要約】【課題】正確なコンビネーションまたは対応する鍵によって開錠することが可能なロッカー用デュアル式ロックを提供すること。【解決手段】ロッカー用デュアル式ロックであり、基部、ノブ、鍵ロック組立品、ハウジング、コンビネーションロック組立品を有する。基部はロッカーを貫通して搭載されている。ノブは基部に取り付けられている。鍵ロック組立品はノブ内に搭載され、基部を貫通して回転可能に搭載され、ロッカーを施錠するためのラッチを設けたロックコアを装備している。ハウジングは基部に取り付けられており、コンビネーション搭載部を設けている。コンビネーションロック組立品はコンビネーション搭載部内に搭載されており、これにより、選択的な施錠又はロックコアの回転が可能になる。【選択図】図１
0003140180.tif 000002
【実用新案登録請求の範囲】
【請求項１】
ロッカー用のデュアル式ロックであって、
基部を備え、前記基部は、
前記基部を通って同軸的に形成された通し穴と、
前端部付近における前記基部の外面上に、これを横断して形成された係合戻り止めとを有し、
前記デュアル式ロックはさらに、前記基部の前端部にこれと同軸的かつ回転可能に取り付けられたノブを備え、前記ノブは、
前記ノブの後端部内に形成され、前記基部の前記通し穴と整列したロックコア空洞と、
前記ノブの外面上の、前記後端部付近に形成され、前記基部の前記係合戻り止めと選択的に整列した係合戻り止めとを有し、
前記デュアル式ロックはさらに、前記鍵ロック組立品は前記ノブの前記ロックコア空洞内に搭載され、前記基部の通し穴を通って搭載された鍵ロック組立品を備え、前記鍵ロック組立品は、
内部コアを有し、前記内部コアは前記ロックコア空洞内の基部付近に搭載され、前記ノブと係合し、さらに、前記内部コアを通って同軸的に形成され、前記基部の通し穴と整列したシャフト穴を有し、
前記ロックコア空洞内に回転可能に搭載されており、前記内部コアと選択的に係合するロックコアをさらに有し、前記ロックコアは、
前記内部コアの前端部と当接する後端部と、
シャフトとを有し、前記シャフトは、前記ロックコアの後端部上に形成され、そこから突出し、また、前記内部コアのシャフト穴を通り、前記基部の通し穴を通って回転可能に搭載され、また、前記基部の後端部から突出し、また、末端部を有し、
前記鍵ロック組立品はさらに、前記シャフトの末端部上に搭載されたラッチを有し、
前記デュアル式ロックはさらに、前記基部に取り付けられたハウジングを備え、前記ハウジングは、
前記基部に取り付けられた基端部と、
前記ハウジングの末端部から形成されたコンビネーション搭載部とを有し、前記コンビネーション搭載部は、
前記コンビネーション搭載部内に形成されたコンビネーションコア空洞と、
前記コンビネーション搭載部の表側を通って形成され、前記コンビネーションコア空洞と連通した複数の窓とを有し、
前記デュアル式ロックはさらに、前記コンビネーション搭載部内に搭載されたコンビネーションロック組立品を備え、前記コンビネーションロック組立品は、
前記コンビネーションコア空洞内に搭載されたコンビネーションロックコアを有し、前記コンビネーションロックコアは、
前記コンビネーションコア空洞内に同軸的かつ回転可能に搭載され、前記窓に対応し、前記窓から部分的に突出した複数のダイヤルと、
前記ダイヤルを通って同軸的に滑動可能に搭載され、前記ダイヤルと係合した管状の複数のスリーブとを有し、前記複数のスリーブのそれぞれは、前記スリーブを通って同軸的に形成された通し穴を有し、
前記コンビネーションロックコアはさらにロッドを有し、前記ロッドは、前記スリーブの前記通し穴を通って回転可能に搭載されており、前記スリーブ内で選択的に滑動可能であり、前記ロッドの内端部上に形成されたボルトヘッドを有し、前記前端部付近の前記基部の外面と、前記後端部付近の前記ノブの外面と当接し、さらに、前記基部および前記ノブの係合戻り止めと選択的に係合し、
前記コンビネーションロック組立品はさらに、前記ロッドの周囲に搭載され、前記スリーブと前記ロッドを押圧するバネを有する、
ロッカー用デュアル式ロック。
【請求項２】
前記鍵コア組立品の前記内部コアはさらに、
前記内部コアの前記前端部内に縦方向に形成された少なくとも１つのピンチャンバと、
対応するピンチャンバ内に滑動可能に搭載されており、前記対応するピンチャンバから選択的に突出する少なくとも１つのロックピンと、
対応するピンチャンバ内に搭載されており、対応するロックピンを押圧する少なくとも１つのバネとを有し、
前記鍵コア組立品の前記内部コアはさらに、
前記ロックコアの前記後端部内に縦方向に形成され、対応するピンチャンバと整列し、対応するロックピンと選択的に係合し、前記鍵溝と部分的に整列し、これと連通する少なくとも１つのピン穴と、
対応するピン穴内に滑動可能に搭載されており、前記鍵溝を押圧し、対応するロックピンと当接する少なくとも１つの押しピンとを有する、請求項１に記載のロッカー用デュアル式ロック。
【請求項３】
前記ノブはさらに、前記ノブの前端部を通って形成され、前記ロックコア空洞と連通および整列する鍵穴と、
前記鍵ロック組立品のロックコアはさらに、前記ロックコアの前端部に形成され、前記ノブの前記鍵穴と整列する鍵溝を有する、請求項２に記載のロッカー用デュアル式ロック。
【請求項４】
前記ハウジングはさらに、前記ハウジングの前記基端部上に形成され、前記基部の前端部および前記ノブの後端部の周囲に搭載され、前記基部と係合するノブ搭載部を有し、前記ノブ搭載部は、
前記ノブ搭載部を通ってこれと同軸的に形成され、前記基部の前端部および前記ノブの後端部の周囲に搭載された搭載穴と、
前記ノブ搭載部を横断して形成され、前記基部および前記ノブの係合戻り止めに対応した開口部とを有する、請求項３に記載のロッカー用デュアル式ロック。
【請求項５】
前記コンビネーション搭載部はさらに、前記コンビネーション搭載部の末端部を通ってこれと同軸的に形成され、前記コンビネーションコアキャビティと連通したボタン搭載部を有し、
コンビネーションロック組立品はさらに、前記ボタン搭載部を通って滑動可能に搭載され、スリーブと当接し、前記スリーブを選択的に押圧して前記ダイヤルを係合解除するボタンを有する、請求項４に記載のロッカー用デュアル式ロック。
【請求項６】
前記基部はさらに、前記基部の後端部上に形成され、ここから縦方向に突出した限界部を有し、
前記鍵ロック組立品はさらに、前記シャフトの末端部上に搭載され、２つの対向する正停止部を設けた限界リングを有し、前記正停止部のそれぞれは前記限界部に対応し、これと選択的に当接する、請求項５に記載のロッカー用デュアル式ロック。
【請求項７】
前記ノブはさらに、前記ノブの内面に形成され、前記ロックコア空洞と連通する搭載穴を有し、
前記内部コアはさらに、前記内部コアの前記搭載穴内部に搭載される固定突起部を有する、請求項６に記載のロッカー用デュアル式ロック。
【請求項８】
前記コンビネーション搭載部はさらに、前記コンビネーション搭載部の裏側を通って形成され、前記コンビネーションコア空洞と連通し、前記窓に対応した複数の検出穴を有し、
前記スリーブのそれぞれはさらに、前記検出穴のうち１つに対応し、前記対応する検出穴と選択的に整列する検出開口部を有する、請求項７に記載のロッカー用デュアル式ロック。
【請求項９】
前記コンビネーション搭載部はさらに、
前記ハウジング上に形成されたコンビネーション搭載基部と、
前記ロックコア基部上に搭載されたコンビネーション搭載部カバーとを備え、
前記検出穴は前記コンビネーション搭載部カバーを通って形成される、請求項８に記載のロッカー用デュアル式ロック。
【請求項１０】
前記基部の前記係合戻り止め、前記ノブの前記係合戻り止め、前記ロッドの前記ボルトヘッドはＶ字型である、請求項９に記載のロッカー用デュアル式ロック。
【請求項１１】
前記シャフトの末端部には鍵が付いており、
前記ラッチは、前記シャフトの末端部に対応し、これの周囲に搭載されている鍵付きの搭載穴を有する、請求項１０に記載のロッカー用デュアル式ロック。
【請求項１２】
前記鍵溝は円形である、請求項１１に記載のロッカー用デュアル式ロック。
【考案の詳細な説明】
【技術分野】
【０００１】
本考案はデュアル式ロックに関し、特に、ダイヤルロックのコンビネーションを紛失した場合でもロッカーを開けられるようにする、ロッカー用デュアル式ロックに関する。
【背景技術】
【０００２】
ロッカーは、人々が衣類や貴重品等の私物をしまっておくために、体育館、スイミングプール、スパ、スポーツクラブ等の多くの公共の場に提供されている。
【考案の開示】
【考案が解決しようとする課題】
【０００３】
デュアル式ロッカーのロッカーでは、コンビネーションと呼ばれるダイヤルに特定の一連の番号を入力する必要があり、さらに、使用者はドアを閉める前に個人個人でコンビネーションを設定する。しかしこの場合、コンビネーションを覚えておかなければならない。コンビネーションを忘れてしまうと、その個人のコンビネーションを知っている人物は他にはいないため、ロックを開錠することができない。これは、番号を覚えていられない人達にとっては都合が悪い。さらに、人によっては、デュアル式ロッカーは使い難く、不正確なコンビネーションを設定してしまうことがある。
【０００４】
こうした欠点を克服するべく、本考案は、前述の問題を軽減または回避するロッカー用デュアル式ロックを提供する。
【課題を解決するための手段】
【０００５】
本考案の主な目的は、正確なコンビネーションまたは対応する鍵によって開錠することが可能なロッカー用デュアル式ロックを提供することである。
【０００６】
ロッカー用デュアル式ロックは基部、ノブ、鍵ロック組立品、ハウジング、コンビネーションロック組立品を設けている。基部はドアを貫通して搭載されている。ノブは基部に取り付けられている。鍵ロック組立品はノブ内に搭載されており、基部を貫通して回転可能に搭載されたロックコアと、ロッカーを施錠するためのラッチを設けている。ハウジングは基部に取り付けられ、コンビネーション搭載部を有する。コンビネーションロック組立品は、選択的に施錠したり、ロックコアを回転できるように、コンビネーション搭載部内に搭載されている。したがって、コンビネーションを忘れたり損失した場合でも、対応する鍵とコンビネーションリセットを使用することによりデュアル式ロックを迅速に開錠することができるため、建物管理に伴うストレスが軽減され、交換にかかる費用を節約できる。
【０００７】
すなわち、本願の第１考案は、ロッカー用のデュアル式ロックであって、
基部を備え、前記基部は、
前記基部を通って同軸的に形成された通し穴と、
前端部付近における前記基部の外面上に、これを横断して形成された係合戻り止めとを有し、
前記デュアル式ロックはさらに、前記基部の前端部にこれと同軸的かつ回転可能に取り付けられたノブを備え、前記ノブは、
前記ノブの後端部内に形成され、前記基部の前記通し穴と整列したロックコア空洞と、
前記ノブの外面上の、前記後端部付近に形成され、前記基部の前記係合戻り止めと選択的に整列した係合戻り止めとを有し、
前記デュアル式ロックはさらに、前記鍵ロック組立品は前記ノブの前記ロックコア空洞内に搭載され、前記基部の通し穴を通って搭載された鍵ロック組立品を備え、前記鍵ロック組立品は、
内部コアを有し、前記内部コアは前記ロックコア空洞内の基部付近に搭載され、前記ノブと係合し、さらに、前記内部コアを通って同軸的に形成され、前記基部の通し穴と整列したシャフト穴を有し、
前記ロックコア空洞内に回転可能に搭載されており、前記内部コアと選択的に係合するロックコアをさらに有し、前記ロックコアは、
前記内部コアの前端部と当接する後端部と、
シャフトとを有し、前記シャフトは、前記ロックコアの後端部上に形成され、そこから突出し、また、前記内部コアのシャフト穴を通り、前記基部の通し穴を通って回転可能に搭載され、また、前記基部の後端部から突出し、また、末端部を有し、
前記鍵ロック組立品はさらに、前記シャフトの末端部上に搭載されたラッチを有し、
前記デュアル式ロックはさらに、前記基部に取り付けられたハウジングを備え、前記ハウジングは、
前記基部に取り付けられた基端部と、
前記ハウジングの末端部から形成されたコンビネーション搭載部とを有し、前記コンビネーション搭載部は、
前記コンビネーション搭載部内に形成されたコンビネーションコア空洞と、
前記コンビネーション搭載部の表側を通って形成され、前記コンビネーションコア空洞と連通した複数の窓とを有し、
前記デュアル式ロックはさらに、前記コンビネーション搭載部内に搭載されたコンビネーションロック組立品を備え、前記コンビネーションロック組立品は、
前記コンビネーションコア空洞内に搭載されたコンビネーションロックコアを有し、前記コンビネーションロックコアは、
前記コンビネーションコア空洞内に同軸的かつ回転可能に搭載され、前記窓に対応し、前記窓から部分的に突出した複数のダイヤルと、
前記ダイヤルを通って同軸的に滑動可能に搭載され、前記ダイヤルと係合した管状の複数のスリーブとを有し、前記複数のスリーブのそれぞれは、前記スリーブを通って同軸的に形成された通し穴を有し、
前記コンビネーションロックコアはさらにロッドを有し、前記ロッドは、前記スリーブの前記通し穴を通って回転可能に搭載されており、前記スリーブ内で選択的に滑動可能であり、前記ロッドの内端部上に形成されたボルトヘッドを有し、前記前端部付近の前記基部の外面と、前記後端部付近の前記ノブの外面と当接し、さらに、前記基部および前記ノブの係合戻り止めと選択的に係合し、
前記コンビネーションロック組立品はさらに、前記ロッドの周囲に搭載され、前記スリーブと前記ロッドを押圧するバネを有する、
ロッカー用デュアル式ロックを提供することを要旨としている。
【０００８】
また、本願の第２考案は、前記鍵コア組立品の前記内部コアはさらに、前記内部コアの前記前端部内に縦方向に形成された少なくとも１つのピンチャンバと、対応するピンチャンバ内に滑動可能に搭載されており、前記対応するピンチャンバから選択的に突出する少なくとも１つのロックピンと、対応するピンチャンバ内に搭載されており、対応するロックピンを押圧する少なくとも１つのバネとを有し、前記鍵コア組立品の前記内部コアはさらに、前記ロックコアの前記後端部内に縦方向に形成され、対応するピンチャンバと整列し、対応するロックピンと選択的に係合し、前記鍵溝と部分的に整列し、これと連通する少なくとも１つのピン穴と、対応するピン穴内に滑動可能に搭載されており、前記鍵溝を押圧し、対応するロックピンと当接する少なくとも１つの押しピンとを有する、本願の第１考案に記載のロッカー用デュアル式ロックを提供することを要旨としている。
【０００９】
また、本願の第３考案は、前記ノブはさらに、前記ノブの前端部を通って形成され、前記ロックコア空洞と連通および整列する鍵穴と、前記鍵ロック組立品のロックコアはさらに、前記ロックコアの前端部に形成され、前記ノブの前記鍵穴と整列する鍵溝を有する、本願の第２考案に記載のロッカー用デュアル式ロックを提供することを要旨としている。
【００１０】
また、本願の第４考案は、前記ハウジングはさらに、前記ハウジングの前記基端部上に形成され、前記基部の前端部および前記ノブの後端部の周囲に搭載され、前記基部と係合するノブ搭載部を有し、前記ノブ搭載部は、前記ノブ搭載部を通ってこれと同軸的に形成され、前記基部の前端部および前記ノブの後端部の周囲に搭載された搭載穴と、前記ノブ搭載部を横断して形成され、前記基部および前記ノブの係合戻り止めに対応した開口部とを有する、本願の第３考案に記載のロッカー用デュアル式ロックを提供することを要旨としている。
【００１１】
また、本願の第５考案は、前記コンビネーション搭載部はさらに、前記コンビネーション搭載部の末端部を通ってこれと同軸的に形成され、前記コンビネーションコアキャビティと連通したボタン搭載部を有し、コンビネーションロック組立品はさらに、前記ボタン搭載部を通って滑動可能に搭載され、スリーブと当接し、前記スリーブを選択的に押圧して前記ダイヤルを係合解除するボタンを有する、本願の第４考案に記載のロッカー用デュアル式ロックを提供することを要旨としている。
【００１２】
また、本願の第６考案は、前記基部はさらに、前記基部の後端部上に形成され、ここから縦方向に突出した限界部を有し、前記鍵ロック組立品はさらに、前記シャフトの末端部上に搭載され、２つの対向する正停止部を設けた限界リングを有し、前記正停止部のそれぞれは前記限界部に対応し、これと選択的に当接する、本願の第５考案に記載のロッカー用デュアル式ロックを提供することを要旨としている。
【００１３】
また、本願の第７考案は、前記ノブはさらに、前記ノブの内面に形成され、前記ロックコア空洞と連通する搭載穴を有し、前記内部コアはさらに、前記内部コアの前記搭載穴内部に搭載される固定突起部を有する、本願の第６考案に記載のロッカー用デュアル式ロックを提供することを要旨としている。
【００１４】
また、本願の第８考案は、前記コンビネーション搭載部はさらに、前記コンビネーション搭載部の裏側を通って形成され、前記コンビネーションコア空洞と連通し、前記窓に対応した複数の検出穴を有し、前記スリーブのそれぞれはさらに、前記検出穴のうち１つに対応し、前記対応する検出穴と選択的に整列する検出開口部を有する、本願の第７考案に記載のロッカー用デュアル式ロックを提供することを要旨としている。
【００１５】
また、本願の第９考案は、前記コンビネーション搭載部はさらに、前記ハウジング上に形成されたコンビネーション搭載基部と、前記ロックコア基部上に搭載されたコンビネーション搭載部カバーとを備え、前記検出穴は前記コンビネーション搭載部カバーを通って形成される、本願の第８考案に記載のロッカー用デュアル式ロックを提供することを要旨としている。
【００１６】
また、本願の第１０考案は、前記基部の前記係合戻り止め、前記ノブの前記係合戻り止め、前記ロッドの前記ボルトヘッドはＶ字型である、本願の第９考案に記載のロッカー用デュアル式ロックを提供することを要旨としている。
【００１７】
また、本願の第１１考案は、前記シャフトの末端部には鍵が付いており、前記ラッチは、前記シャフトの末端部に対応し、これの周囲に搭載されている鍵付きの搭載穴を有する、本願の第１０考案に記載のロッカー用デュアル式ロックを提供することを要旨としている。
【００１８】
また、本願の第１２考案は、前記鍵溝は円形である、本願の第１１考案に記載のロッカー用デュアル式ロックを提供することを要旨としている。
【考案の効果】
【００１９】
本考案のロッカー用デュアル式ロックは、コンビネーションロックと鍵ロックを使用することによりロッカーのドアを施錠する。そのため、コンビネーションを忘れたり、誤って変更したり、設定が不正確に変更された場合でも、ロックやロッカーを損傷することなく、また、部品を交換する必要もなく、対応する鍵を使用してドアを迅速に開けることができる。
【考案を実施するための最良の形態】
【００２０】
本考案のこれ以外の目的、利点、新規特徴は、添付の図面と共に以下の詳細な説明を読解することでさらに明白となる。
【実施例】
【００２１】
図１、図２を参照すると、本考案によるロッカー用デュアル式ロックはロッカーのドア上に搭載されており、これを施錠し、このデュアル式ロックはさらに、基部（１０）、ノブ（３０）、鍵ロック組立品（２０）、ハウジング（４０）、コンビネーションロック組立品（５０）を備えている。
【００２２】
ロッカーのドアには表側と裏側がある。
【００２３】
基部（１０）には、ロッカーのドアを貫通して搭載されており、前端部、後端部、外面、通し穴（１１）、係合戻り止め（１２）、任意の限界部（１４）が設けられている。
【００２４】
基部（１０）の後端部はドアの裏側から突出している。
【００２５】
通し穴（１１）は基部（１０）を貫通してこれと同軸的に形成されている。
【００２６】
係合戻り止め（１２）は、基部（１０）の外面内の前端部付近に形成されており、さらにＶ字型であってよい。
【００２７】
限界部（１４）は基部（１０）の後端部上に形成され、ここから縦方向に突出している。
【００２８】
さらに図３を参照すると、ノブ（３０）がドアの表側上に搭載されており、基部（１０）の前端部に同軸的かつ回転可能に取り付けられ、前端部、後端部、外面、内面、ロックコア空洞、鍵穴（３２）、係合戻り止め（３３）を設けており、さらに搭載穴（３１）が設けられてもよい。
【００２９】
ノブ（３０）のロックコア空洞は、ノブ（３０）の後端部に形成されており、基部（１０）の通し穴（１１）と整列している。
【００３０】
鍵穴（３２）はノブ（３０）の前端部を貫通して形成されており、ロックコア空洞と連通および整列している。
【００３１】
係合戻り止め（３３）はノブ（３０）の外面上の後端部付近に形成されており、さらにＶ字型であってよく、基部（１０）の係合戻り止め（１２）と選択的に整列する。
【００３２】
取り付け穴（３１）はノブ（３０）の内面に形成されており、ロックコア空洞と連通している。
【００３３】
さらに図４を参照すると、鍵ロック組立品（２０）はノブ（３０）のロックコア空洞内に搭載され、基部（１０）の通し穴（１１）を貫通して搭載されているため、対応する鍵を使用してドア開錠できるようになっており、鍵ロック組立品（２０）はさらに、内部コア（２１）、ロックコア（２２）、ラッチ（２３）、任意の限界リング（２４）を設けている。
【００３４】
内部コア（２１）は円筒形であり、ロックコア空洞内の基部（１０）付近に搭載されており、ノブ（３０）と係合し、さらに、前端部、環状壁、シャフト穴（２１１）を設けており、さらに、少なくとも１つのピンチャンバ（２１２）、少なくとも１つのロックピン（２１４）、少なくとも１つのバネ（２１３）、固定突起部（２１５）を設けていてよい。
【００３５】
シャフト穴（２１１）は内部コア（２１）を貫通してこれと同軸的に形成されており、基部（１０）の通し穴（１１）と整列している。
【００３６】
１つのピンチャンバ（２１２）のそれぞれは、内部コア（２１）の前端部内に縦方向に形成されている。
【００３７】
各ロックピン（２１４）は、対応するピンチャンバ（２１２）内に滑動可能に搭載されており、この対応するピンチャンバ（２１２）から選択的に突出している。
【００３８】
各バネ（２１３）は対応するピンチャンバ（２１２）内に搭載されており、対応するロックピン（２１４）を押圧する。
【００３９】
内部コア（２１）をノブ（３０）に固定するために、固定突起部（２１５）が内部コア（２１）の内面に搭載され、固定突起部（２１５）はさらに、取り付け穴（３１）にしっかり搭載されてもよい。
【００４０】
さらに図５、図６を参照すると、ロックコア（２２）は円筒形であり、ロックコア空洞内に回転可能に搭載されており、内部コア（２１）と選択的に係合し、さらに、前端部、後端部、シャフト（２２１）、鍵溝（２２２）を設けており、さらに、少なくとも１つのピン穴（２２３）及び少なくとも１つの押しピン（２２４）を設けていてよい。
【００４１】
ロックコア（２２）の後端部は、表面界面にて内部コア（２１）の前端部と当接する。
【００４２】
シャフト（２２１）はロックコア（２２）の後端部上に形成され、この後端部からこれと同軸的に突出しており、さらに、内部コア（２１）のシャフト穴（２１１）と基部（１０）の通し穴（１１）を通って回転可能に搭載され、基部（１０）の後端部から突出し、末端部を有する。シャフト（２２１）の基端部には鍵が取り付けられている。
【００４３】
鍵溝（２２２）は円形であり、ロックコア（２２）の前端部内にこれと同軸的に形成され、ノブ（３０）の鍵穴（３２）と整列しているため、対応する鍵を挿入することができる。
【００４４】
各ピン穴（２２３）は、ロックコア（２２）の後端部内に縦方向に形成され、対応するピンチャンバ（２１２）と整列しており、鍵ロック組立品（２０）は、鍵溝（２２２）と部分的に整列および連通させて施錠した際に、対応するロックピン（２１４）と選択的に係合する。各押しピン（２２４）は対応するピン穴（２２３）内に滑動可能に搭載されており、鍵溝（２２２）を押圧して、そのピン界面にて対応するロックピン（２１４）と当接する。鍵溝（２２２）内に対応する鍵を挿入すると、各押しピン（２２４）がピン穴（２２３）から押し出されることでピン界面が表面界面と整列し、これにより鍵ロック組立品（２０）が開錠され、ロックコア（２２）が回転できるようになる。
【００４５】
ドアを施錠するために、ラッチ（２３）はシャフト（２２１）の末端部上に搭載されており、また、シャフト（２２１）の末端部に対応し、この周囲に搭載された鍵付き搭載穴を設けていてよい。
【００４６】
限界リング（２４）はシャフト（２２１）の末端部上に搭載され、２つの正停止部（２４１）を設けており、さらに、シャフトの末端部周囲に搭載された鍵付きの搭載穴を設けていてよい。各々の正停止部（２１４）は、ロックコア（２２）の回転を限定するために、限界部（１４）に対応し、これと選択的に当接する。
【００４７】
ハウジング（４０）が基部（１０）に取り付けられており、基端部、末端部、任意のノブ搭載部（４１）、コンビネーション搭載部（４２）が設けられている。
【００４８】
ハウジング（４０）の基端部は基部（１０）に取り付けられている。
【００４９】
ノブ搭載部（４１）はハウジング（４０）の基端部上に形成されており、基部（１０）の前端部およびノブ（３０）の後端部の周囲に搭載され、基部（１０）と係合し、さらに、搭載穴（４１１）と開口部（４１２）を設けている。
【００５０】
搭載穴（４１１）は、ノブ搭載部（４１）を通ってこれと同軸的に形成されており、基部（１０）の前端部およびノブ（３０）の後端部の周囲に搭載されている。
【００５１】
開口部（４１２）はノブ搭載部（４１）を横切って形成されており、基部（１０）およびノブ（３０）の係合戻り止め（１２、３３）に対応する。
【００５２】
コンビネーション搭載部（４２）は、ハウジング（４０）の末端部から形成されており、ドアの表側上に搭載され、さらに、表側、裏側、末端部、コンビネーションコア空洞（４２１）、複数の窓（４２２）、複数の任意の検出穴（４２３）、ボタン搭載部（４２４）を設けている。コンビネーション搭載部（４２）はコンビネーション基部（４２ａ）、コンビネーション搭載部カバー（４２ｂ）を設けていてよい。コンビネーション搭載基部（４２ａ）はハウジング（４０）上に形成されている。コンビネーション搭載部カバー（４２ｂ）はロックコア基部上に搭載されている。
【００５３】
コンビネーションコア空洞（４２１）はコンビネーション搭載部（４２）内に形成されており、搭載穴（４１１）と連通している。
【００５４】
窓（４２２）はコンビネーション搭載部（４２）の表側を貫通して形成されており、コンビネーションコア空洞（４２１）と連通する。
【００５５】
検出穴（４２３）はコンビネーション搭載部（４２）の裏側を貫通して形成されており、またコンビネーション搭載部カバー（４２ｂ）を貫通して形成されていてもよく、コンビネーションコア空洞（４２１）と連通し、窓（４２２）に対応している。
【００５６】
ボタン搭載部（４２４）は、コンビネーション搭載部（４２）の末端部を通ってこれと同軸に形成されており、コンビネーションコア空洞（４２１）と連通している。
【００５７】
さらに図７、図８を参照すると、コンビネーションロック組立品（５０）がコンビネーション搭載部（４２）内に搭載されており、コンビネーションロックコア（５１）、ボタン（５３）、バネ（５４）が設けられている。
【００５８】
コンビネーションロックコア（５１）はコンビネーションコア空洞（４２１）内に搭載されており、ドアにコンビネーション施錠機能を提供し、さらに、複数のダイヤル（５１１）、複数のスリーブ（５１２）、ロッド（５１３）を設けている。
【００５９】
ダイヤル（５１１）は、コンビネーションコア空洞（４２１）内の相互に近接して、同軸的に回転可能に搭載されており、窓（４２２）と対応し、それを貫通して、部分的に窓（４２２）から突出することで、ダイヤル（５１１）が回転できるようになる。ダイヤル（５１１）が正確なコンビネーションで整列すると、コンビネーションロックコア（４１）が開錠される。
【００６０】
スリーブ（５１２）は管状であり、ダイヤル（５１１）を通ってこれと同軸的に、滑動可能に搭載されており、ダイヤル（５１１）と係合し、各スリーブは通し穴と任意の検出開口部（５１２１）が設けられている。
【００６１】
スリーブ（５１２）の通し穴は、スリーブ（５１２）を貫通してこれと同軸的に形成されている。
【００６２】
各検出開口部（５１２１）は検出穴（４２３）の１つに対応しており、正確なコンビネーションが入力されると、対応する検出穴（４２３）と選択的に整列し、これにより、開錠者は、検出穴（４２３）内に工具を挿入してコンビネーションを復元できるようになるので、工具が検出開口部（５１２１）内に入るまで、対応するダイヤル（５１１）を回転させる。したがって、紛失したコンビネーションを回復することができる。
【００６３】
ロッド（５１３）は、スリーブ（５１２）の通し穴を貫通して回転可能に搭載されており、コンビネーションロックコア（５１）が開錠された際に選択的に滑動でき、さらに、内端部、ボルトヘッド（５１３１）、リップ部（５１３２）を有する。
【００６４】
ボルトヘッド（５１３１）はロッド（５１３）の内端部上に形成されており、また、Ｖ字型であってもよく、さらに、ノブ（３０）およびロックコア（２２）の回転を防止するためにコンビネーションロックコア（５１）が施錠されると、ボルトヘッド（５１３１）が前端部付近で基部（１０）の外面と、後端部付近でノブ（３０）の外面と当接し、基部（１０）およびノブ（３０）の係合戻り止め（１２、３３）と係合する。
【００６５】
リップ部（５１３２）は、内端部付近のロッド（５１３）の周囲に形成されている。
【００６６】
さらに図９を参照すると、ボタン（５３）は、ボタン搭載部（４２４）を貫通して滑動可能に搭載されており、さらに、コンビネーションロックコア（５１）が開錠されると、スリーブ（５１２）と当接してスリーブ（５１２）を選択的に押し、ダイヤル（５１１）を係合解除させる。そのため開錠者は、ダイヤル（５１１）を新たな位置へ回転させ、ボタン（５３）を解除することにより、正確なコンビネーションを変更することができる。
【００６７】
バネ（５４）はロッド（５１３）周囲に搭載され、バネ（５４）はさらに、スリーブ（５１２）とロッド（５１３）のリップ部（５１３２）の間にも搭載されており、コンビネーション変更後に、バネがこれらを押圧することで、ロッド（５１３）のボルトヘッド（５１３１）が戻り止め（３３、１２）と確実に係合し、スリーブ（５１２）がダイヤル（５１１）と確実に再係合するようになる。
【００６８】
次に図１０乃至図１２を参照すると、ロッカーのドアは、正確なコンビネーションを入力した後に、ノブ（３０）によって回転されるか、対応する鍵を挿入してロックコア（２２）のみを回転させることによって開錠できる。
【００６９】
したがって、ロッカー用デュアル式ロックは、コンビネーションロックと鍵ロックを使用することによりロッカーのドアを施錠する。そのため、コンビネーションを忘れたり、誤って変更したり、設定が不正確に変更された場合でも、ロックやロッカーを損傷することなく、また、部品を交換する必要もなく、対応する鍵を使用してドアを迅速に開けることができる。
【００７０】
ここまでの説明において本考案の様々な特徴および利点について述べてきたが、本考案の構造および特徴の詳細な説明と共に、本開示は単なる例証にしか過ぎない。特に部品の形状、サイズ、配列に関する部分では、添付の請求項に用いられている用語の幅広い総体的な意味によって示された本考案の原理の範囲内において、詳細な説明に変更を加えることが可能である。
【図面の簡単な説明】
【００７１】
【図１】本考案によるロッカー用デュアル式ロックの斜視図である。
【図２】図１のデュアル式ロックの展開斜視図である。
【図３】図１のデュアル式ロックの断面側面図である。
【図４】図１のデュアル式ロックの鍵ロック組立品の展開斜視図である。
【図５】図１のデュアル式ロックの内部要素を示す部分断面拡大平面図であり、施錠された状態を示す。
【図６】図５のデュアル式ロックの拡大平面図であり、対応する鍵が挿入された状態を示す。
【図７】図１のデュアル式ロックのコンビネーションロック組立品の展開図である。
【図８】図１のデュアル式ロックの、部分的な断面の拡大動作側面図であり、コンビネーションロック組立品と整列した状態を示す。
【図９】図８のデュアル式ロックの、部分的な断面の拡大動作側面図であり、コンビネーションを変更するためにダイヤルを係合解除した状態を示す。
【図１０】図１のデュアル式ロックの、部分的な断面の拡大動作側面図であり、コンビネーションロック組立品により開錠された状態を示す。
【図１１】図１のデュアル式ロックの動作正面図であり、コンビネーションロック組立品によって開錠された状態を示す。
【図１２】図１のデュアル式ロックの動作正面図であり、対応する鍵によって開錠された状態を示す。
【図１】
0003140180.tif 000003
【図２】
0003140180.tif 000004
【図３】
0003140180.tif 000005
【図４】
0003140180.tif 000006
【図５】
0003140180.tif 000007
【図６】
0003140180.tif 000008
【図７】
0003140180.tif 000009
【図８】
0003140180.tif 000010
【図９】
0003140180.tif 000011
【図１０】
0003140180.tif 000012
【図１１】
0003140180.tif 000013
【図１２】
0003140180.tif 000014